(57)【要約】【課題】本発明は、冷房運転時における吹出口近傍の結露の発生を抑制させることができる構成を有する信頼性の高い空気調和機を提供する。【解決手段】本発明の空気調和機は、熱交換器において熱交換して吹出口から吹き出すための気流を発生させるファンの下流に配置されたリアガイダの案内面の最下流端近傍に段差を設け、段差より上流側の第１の段差吹出面によって、リアガイダと羽根との間の隙間に空気が流入することを抑制する。【選択図】図７
2014178072.tif 000002
【特許請求の範囲】
【請求項１】
空気の取入口と吹出口を有し、外観を構成する本体、
前記取入口から取り入れた空気を熱交換する熱交換器、
前記熱交換器において熱交換して前記吹出口から吹き出すための気流を発生させるファン、
前記ファンの下流に配置されて熱交換された空気の流れを前記吹出口へ案内する案内面を有するリアガイダ、及び
前記リアガイダの前記案内面の最下流端に所定の隙間を有して回動可能に設けられ、前記リアガイダに沿って流れる気流の方向を制御する羽根、
を備え、
前記リアガイダは、前記案内面の最下流端近傍に段差を有し、前記段差より上流側に形成される第１の段差吹出面によって案内される吹き出し方向の気流が前記リアガイダと前記羽根との間の前記隙間より上方を流れるよう構成された空気調和機。
【請求項２】
前記第１の段差吹出面は、気流の方向に沿って切断した断面形状が曲線に形成された請求項１に記載の空気調和機。
【請求項３】
前記リアガイダは、前記段差より下流側に第２の段差吹出面を有し、前記第２の段差吹出面によって案内される吹き出し方向の気流が前記リアガイダと前記羽根との間の隙間より上方を流れるよう構成された請求項１又は２に記載の空気調和機。
【請求項４】
前記第２の段差吹出面は、気流の方向に沿って切断した断面形状が曲線に形成された請求項３に記載の空気調和機。
【請求項５】
前記第２の段差吹出面によって案内される気流の吹き出し方向が前記第１の段差吹出面によって案内される気流の吹き出し方向より上方向を向いている請求項３又は４に記載の空気調和機。
【請求項６】
前記羽根は、回動可能な羽根回動軸を収納する羽根回動部を有し、
前記本体は、前記羽根の前記羽根回動軸を回動可能に保持する羽根保持部と、前記羽根回動部に対向する部分に本体軸受部を有し、
前記羽根回動軸と前記羽根保持部は、異なる材料で形成され、
前記羽根回動部と前記本体軸受部は、異なる材料で形成された請求項１乃至５のいずれか一項に記載の空気調和機。
【請求項７】
前記リアガイダと前記羽根との間の前記隙間を形成する対向面に露を保持するための溝を有する請求項１乃至６のいずれか一項に記載の空気調和機。
【発明の詳細な説明】
【技術分野】
【０００１】
本発明は、室内の空調を行うための空気調和機に関し、特に空気調和機における吹出口の結露防止に関する。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。このように構成された室内機は、室内の壁面等に設置されて、室内が所望の温度となるよう空調動作が行われる。室外機と室内機は、冷媒配管と制御用配線で互いに機械的及び電気的に接続されており、互いに協働して空調動作を行っている。
【０００３】
空気調和機の室内機には、温度調節された空気を室内に吹き出すための吹出口が設けられており、その吹出口には吹き出される空気の向きを変更するための風向変更手段が設けられている。風向変更手段としては、室内における所望の領域に向かって吹出口から吹き出された空気を送り出すために、吹出口から吹き出される空気の流れを上下方向に変更する上下風向変更羽根と、吹出口から吹き出される空気の流れを左右方向に変更する左右風向変更羽根とで構成された風向変更羽根が用いられている。
【０００４】
従来の空気調和機における上下風向変更羽根としては、例えば、空気調和機の運転時には吹出口から突出して、吹出口から吹き出される空気の流れ方向を変更するとともに、空気調和機の停止時には吹出口に収納されるよう構成されたものがある（例えば、特許文献１参照。）。
【先行技術文献】
【特許文献】
【０００５】
【特許文献１】特許４１１０８６３号公報
【発明の概要】
【発明が解決しようとする課題】
【０００６】
空気調和機の室内機において、熱交換された空気は空気を送り出すためのファンの下流側に設けられたリアガイダに沿って流れて、リアガイダの下流に回動可能に設けられた上下風向変更羽根により吹出口から吹き出される構成である。上下風向変更羽根は、室内に吹き出すための吹出口を開閉するとともに、空気の吹き出し方向を大きく上下に変更する機能を有する。
【０００７】
上記のように構成された従来の空気調和機においては、上下風向変更羽根がリアガイダの案内面の最下流端に回動可能に設けられているため、冷房運転時にリアガイダに沿って流れてきた空気が、リアガイダと上下風向変更羽根との間の隙間に流れ込み、その隙間に流れ込んだ冷気により空気調和機の下面ならびに上下風向変更羽根の下面が冷却され、当該被冷却面に湿り気をもった空気が接触することにより吹出口近傍に結露を生じさせ、この状態が持続すると結露水が滴下するという問題を有していた。
【０００８】
本発明においては、前記のように従来の空気調和機において問題となっている冷房運転時におけるリアガイダと上下風向変更羽根との間の隙間に空気が流れ込むことを抑制し、吹出口近傍の結露の発生を防止させることができる信頼性の高い空気調和機の提供を目的とする。
【課題を解決するための手段】
【０００９】
前記目的を達成するために、本発明に係る空気調和機においては、
空気の取入口と吹出口を有し、外観を構成する本体、
前記取入口から取り入れた空気を熱交換する熱交換器、
前記熱交換器において熱交換して前記吹出口から吹き出すための気流を発生させるファン、
前記ファンの下流に配置されて熱交換された空気の流れを前記吹出口へ案内する案内面を有するリアガイダ、及び
前記リアガイダの前記案内面の最下流端に所定の隙間を有して回動可能に設けられ、前記リアガイダに沿って流れる気流の方向を制御する羽根、
を備え、
前記リアガイダは、前記案内面の最下流端近傍に段差を有し、前記段差より上流側に形成される第１の段差吹出面によって案内される吹き出し方向の気流が前記リアガイダと前記羽根との間の隙間より上方を流れるよう構成されている。
【発明の効果】
【００１０】
本発明によれば、リアガイダに沿って流れてきた空気が、リアガイダと上下風向変更羽根との間の隙間に流れ込むことを抑制し、冷房運転時において吹出口近傍での結露の発生を抑制することができる信頼性の高い空気調和機を提供することができる。
【図面の簡単な説明】
【００１１】
【図１】図１は本発明に係る実施の形態１の空気調和機における室内機の概略構成を示す縦断面図である。
【図２】図２は実施の形態１の空気調和機における空調運転時の状態を示す縦断面図である。
【図３】図３は実施の形態１の空気調和機における空調運転時の上下風向変更羽根の動作例を示す縦断面図である。
【図４】図４は実施の形態１の空気調和機における空調運転時の上下風向変更羽根の動作例を示す縦断面図である。
【図５】図５は実施の形態１の空気調和機における空調運転時の上下風向変更羽根の動作例を示す縦断面図である。
【図６】図６は一般的な空気調和機の構成を拡大して示す縦断面図である。
【図７】図７は実施の形態１の空気調和機における結露防止機構を拡大して示す縦断面図である。
【図８】図８は実施の形態１における上下風向変更羽根が本体に回動可能に保持された状態を示す縦断面図である。
【図９】図９は実施の形態１の空気調和機における露を保持するための溝を示す縦断面図である。
【発明を実施するための形態】
【００１２】
本発明に係る第１の態様の空気調和機は、
空気の取入口と吹出口を有し、外観を構成する本体、
前記取入口から取り入れた空気を熱交換する熱交換器、
前記熱交換器において熱交換して前記吹出口から吹き出すための気流を発生させるファン、
前記ファンの下流に配置されて熱交換された空気の流れを前記吹出口へ案内する案内面を有するリアガイダ、及び
前記リアガイダの前記案内面の最下流端に所定の隙間を有して回動可能に設けられ、前記リアガイダに沿って流れる気流の方向を制御する羽根、
を備え、
前記リアガイダは、前記案内面の最下流端近傍に段差を有し、前記段差より上流側に形成される第１の段差吹出面によって案内される吹き出し方向の気流が前記リアガイダと前記羽根との間の隙間より上方を流れるよう構成されている。このように構成された本発明に係る第１の態様の空気調和機では、リアガイダの案内面の最下流端近傍に設けられた段差より上流側に形成された第１の段差吹出面によって、第１の段差吹出面から吹き出された空気が、羽根とリアガイダとの間の隙間より上方を流れる。したがって、冷房運転時において、送風効率を低下させることなく、リアガイダと羽根との間の隙間に空気が流入することを抑制でき、吹出口近傍での結露の発生を防止することができる。
【００１３】
本発明に係る第２の態様の空気調和機において、前記の第１の態様における前記第１の段差吹出面は、気流の方向に沿って切断した断面形状が曲線に形成されている。このように構成された本発明に係る第２の態様の空気調和機では、第１の段差吹出面から吹き出された空気をより簡単にリアガイダと羽根との間の隙間より上方に流すことができる。したがって、リアガイダと羽根との間の隙間に空気が流入することをより簡単に抑制でき、冷房運転時における吹出口近傍での結露の発生を防止することができる。
【００１４】
本発明に係る第３の態様の空気調和機において、前記の第１の態様又は前記の第２の態様における前記リアガイダは、前記段差より下流側に第２の段差吹出面を有し、前記第２の段差吹出面によって案内される吹き出し方向の気流が前記リアガイダと前記羽根との間の隙間より上方を流れるよう構成されている。このように構成された本発明に係る第３の態様の空気調和機においては、第２の段差吹出面によって、リアガイダと羽根との間の隙間に空気が流入することをさらに抑制でき、冷房運転時における吹出口近傍での結露の発生を確実に防止することができる。
【００１５】
本発明に係る第４の態様の空気調和機において、前記の第３の態様における前記第２の段差吹出面は、気流の方向に沿って切断した断面形状が曲線に形成されている。このように構成された本発明に係る第４の態様の空気調和機においては、第２の段差吹出面からの吹き出し方向をより簡単にリアガイダと羽根との間の隙間より上向きにすることができる。したがって、リアガイダと羽根との間の隙間に空気が流入することをより簡単に抑制でき、冷房運転時における吹出口近傍での結露の発生を確実に防止することができる。
【００１６】
本発明に係る第５の態様の空気調和機において、前記の第３の態様又は前記の第４の態様における前記第２の段差吹出面によって案内される気流の吹き出し方向が前記第１の段差吹出面によって案内される気流の吹き出し方向より上方向を向いている。このように構成された本発明に係る第５の態様の空気調和機においては、第２の段差吹出面からの吹き出し方向をさらに上方向にすることによって、リアガイダと羽根との間の隙間に空気が流入することをさらに防止し、冷房運転時における吹出口近傍での結露の発生を確実に防止することができる。
【００１７】
本発明に係る第６の態様の空気調和機では、前記の第１の態様から前記の第５の態様において、前記羽根は、回動可能な羽根回動軸を収納する羽根回動部を有し、
前記本体は、前記羽根の前記羽根回動軸を回動可能に保持する羽根保持部と、前記羽根回動部に対向する部分に本体軸受部を有し、
前記羽根回動軸と前記羽根保持部は、異なる材料で形成され、
前記羽根回動部と前記本体軸受部は、異なる材料で形成されている。このように構成された本発明に係る第６の態様の空気調和機においては、羽根回動軸と羽根保持部との摩擦抵抗を減らすことができる。そのため、羽根回動軸の回動時において、羽根回動軸と羽根保持部との摩擦によって発生する音を低減することができる。また、上記のような材料を用いることにより、加工精度のばらつきにより、羽根回動部と本体軸受部が接触する場合においても摩擦によって発生する音を低減することができる。その結果、羽根回動部とリアガイダとの間の隙間を小さくすることが可能となり、隙間への空気の流入を抑制するシール性を向上させることができる。
【００１８】
本発明に係る第７の態様の空気調和機では、前記の第１の態様から前記の第６の態様において、前記リアガイダと前記羽根との間の前記隙間を形成する対向面に露を保持するための溝を有する。このように構成された本発明に係る第７の態様の空気調和機においては、吹出口近傍で結露が生じた場合、露を保持するための溝で結露水を保持し、結露水が滴下することを防止できる。
【００１９】
以下、本発明の空気調和機に係る実施の形態について、添付の図面を参照しながら説明する。また、各図においては、説明を容易なものとするため、各要素を誇張して示している。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００２０】
（実施の形態１）
実施の形態１の空気調和機は、室内機と室外機が冷媒配管及び制御配線等により互いに接続された、所謂セパレート型の空気調和機である。室内機と室外機によりヒートポンプが構成されており、室外機にはコンプレッサが設けられている。実施の形態１の空気調和機における室内機は、室内の壁面に取り付ける壁掛け式室内機である。
【００２１】
図１は、本発明に係る実施の形態１の空気調和機における室内機の概略構成を示す縦断面図である。図１は実施の形態１の空気調和機における空調運転停止時の状態を示している。
【００２２】
図１に示すように、室内機１は、空気の取入口となる前面開口部２ａと上面開口部２ｂ、および熱交換された空気を吹き出す吹出口２ｃとを有する本体２、及び本体２の前面開口部２ａを開閉する可動式の前面パネル３を備えている。本体２の内部には、室内空気に含まれる塵埃を除去するためのフィルタ４と、取り入れた室内空気を熱交換する熱交換器５と、前面開口部２ａ及び上面開口部２ｂからフィルタ４を通して取り入れた室内空気を熱交換器５で熱交換して吹出口２ｃから室内に吹き出すための気流を発生させる貫流ファンであるファン６と、が設けられている。また、室内機１の本体２において、ファン６の下流側から吹出口２ｃの上流側に至る通風路１０は、ファン６の下流側に配置されて空気の流れを案内するリアガイダ７と、このリアガイダ７に対向して配置されたスタビライザ１１と、本体２の両側壁（図示せず）とで形成されている。
【００２３】
実施の形態１の空気調和機において熱交換した空気を室内に吹き出すための吹出口２ｃには、当該吹出口２ｃを開閉するとともに、空気の吹き出し方向を上下方向に変更することができる上下風向変更手段である上下風向変更羽根８が設けられている。さらに、吹出口２ｃの内部には空気の吹き出し方向を左右に変更することができる左右風向変更手段である左右風向変更羽根９が設けられている。
【００２４】
図１に示す空調運転停止時の状態においては、前面パネル３が本体２に密着して前面開口部２ａを閉じるように構成されており、上下風向変更羽根８が吹出口２ｃの内部に収納されて吹出口２ｃを閉鎖するよう構成されている。
【００２５】
図２は、実施の形態１の空気調和機における空調運転時の状態を示す縦断面図である。図２に示すように、前面パネル３は、本体２から離れる方向に所定距離だけ移動して前面開口部２ａを開放するように構成されている。
【００２６】
上下風向変更羽根８は、第１の羽根の一例である下羽根８ａと、この下羽根８ａの上方に設けられた第２の羽根の一例である上羽根８ｂと、を備えている。上下風向変更羽根８は、下羽根８ａと上羽根８ｂとが協働して、吹出口２ｃから吹き出される空気の吹き出し方向を制御している。下羽根８ａは、上流部の回動部分の回動動作により、所定角度だけ回動するよう構成されている。上羽根８ｂは、例えば制御によって下羽根８ａと略平行に保持された状態で回動して下羽根８ａに対して近接・離間動作する構成を有している。
【００２７】
なお、上下風向変更羽根８における上羽根８ｂには、第３の羽根の一例であるガイドミニ羽根８ｃが設けられている。ガイドミニ羽根８ｃは、下羽根８ａと上羽根８ｂにより形成される主流に対して保護する気流を発生させる機能を有している。このように、上羽根８ｂの上面にガイドミニ羽根８ｃを設けることにより、主流に対する周りの空気の混合を防止し、主流における流れの減衰が抑制されている。
【００２８】
左右風向変更羽根９は、複数枚の羽根で構成されており、吹出口２ｃから吹き出される空気の吹き出し方向を左右方向に変更するよう制御されている。
【００２９】
空気調和機が空調運転を開始すると、前面パネル３が本体２から所定距離だけ離れる離動作を行い前面開口部２ａが開放されるとともに、上下風向変更羽根８が開動作を行い吹出口２ｃが開放される。このように前面開口部２ａおよび吹出口２ｃが開放された状態でファン６が駆動されて、室内空気が前面開口部２ａ及び上面開口部２ｂを通して室内機１の内部に取り入れられる。取り入れられた室内空気は、フィルタ４を通り、熱交換器５において熱交換されて、ファン６に吸い込まれる。ファン６に吸い込まれた熱交換された空気は、ファン６の下流側に形成された通風路１０を通り、吹出口２ｃより吹き出される。
【００３０】
ファン６からの空気が通風路１０を通過するとき、ファン６の下流側に配置されたリアガイダ７およびスタビライザ１１によりファン６からの空気が案内されて、吹出口２ｃから吹き出される。貫流ファンであるファン６からの空気は、ファン６の外側外周に設けられたリアガイダ７に沿って流れて、吹出口２ｃから吹き出される。
【００３１】
吹出口２ｃから吹き出される空気の吹き出し方向は、上下風向変更羽根８及び左右風向変更羽根９により制御されている。上下風向変更羽根８及び左右風向変更羽根９の角度調整等の動作は、当該空気調和機を制御する制御装置（図示省略）により制御されている。
【００３２】
[上下風向変更羽根の動作]
図３から図５は、実施の形態１の空気調和機における空調運転時の上下風向変更羽根８の動作例を示しており、主流を形成する下羽根８ａと上羽根８ｂとの回動動作を示す縦断面図である。上下風向変更羽根８は、下羽根８ａの回動により、下羽根８ａとともに上羽根８ｂが連動して回動する構成である。実施の形態１の空気調和機における上下風向変更羽根８は、リアガイダ７の案内面７ａの最下流端７ｃの吹出口２ｃに設けられ、吹出口２ｃからの空気に対して高い整流効果を発揮するディフューザとしての機能を有すると共に、上下方向の風向を制御する機能を兼ね備えている。
【００３３】
図３は、実施の形態１の空気調和機におけるリアガイダ７から下羽根８ａに至る風路の抵抗が最小の時の動作例である。以下の説明において、下羽根８ａの位置を最大風量形成位置と称し、この下羽根８ａが最大風量形成位置に配置された状態を最大風量形成状態と称する。図３に示す最大風量形成位置においては、吹出口２ｃからの空気が斜め下方向に吹き出されている。このときの上下風向変更羽根８の下羽根８ａがディフューザとしての機能を最大に発揮している。
【００３４】
図４は、実施の形態１の空気調和機の冷房運転時における動作例である。下羽根８ａが、前述の最大風量形成状態より上向きに配置された動作例であり、吹出口２ｃからの空気の吹き出し方向が、略水平方向である。
【００３５】
図５は、実施の形態１の空気調和機の通常の暖房運転時における動作例である。下羽根８ａが、前述の最大風量形成状態より下向きに配置されており、吹出口２ｃからの空気の吹き出し方向が、略下向き方向である。
【００３６】
実施の形態１の空気調和機においては、冷房運転時におけるリアガイダ７と上下風向変更羽根８との間に空気（冷気）が流れ込むことを抑制するためにリアガイダ７の案内面７ａの最下流端近傍には段差７１が形成されている。この段差７１により、リアガイダ７の上流から流れてきた空気がリアガイダ７と上下風向変更羽根８との間の隙間１２に流れ込むことを防止する構成を有している。
【００３７】
次に、実施の形態１において、リアガイダ７から上下風向変更羽根８に流れ、吹出口２ｃから吹き出される気流について理解しやすいように一般的な空気調和機の構成を用いて説明する。
図６は、一般的な空気調和機におけるリアガイダ１０７と上下風向変更羽根１０８を拡大して示す縦断面図である。図６に示す空気調和機は、リアガイダ１０７から上下風向変更羽根１０８への風路抵抗を最小にするために、上下風向変更羽根１０８を最大風量形成位置に配置した時の動作例を示している。図６に示す最大風量形成状態においては、リアガイダ１０７における風路の底面となる案内面１０７ａの下流部分と、上下風向変更羽根１０８における風路の底面となる吹出面１０８ａａが実質的に同一平面上に配置されている。なお、ここではリアガイダ１０７における案内面１０７ａの下流部分と上下風向変更羽根１０８の吹出面１０８ａａはそれぞれ平面とする。上下風向変更羽根１０８の吹出面１０８ａａは、図６に示す上下風向変更羽根１０８における上向き面であり、吹出口１０２ｃから吹き出される空気の主流を案内する面である。ここで、図６に示すように、リアガイダ１０７から上下風向変更羽根１０８への風路抵抗が最小の時におけるリアガイダ１０７の案内面１０７ａと、上下風向変更羽根１０８の吹出面１０８ａａ面とによって形成される風路による吹き出し方向を第１の吹き出し方向Ｇ１とする。
【００３８】
図６のように構成された一般的な空気調和機では、冷房運転時においてリアガイダ１０７の最下流端１０７ｃから吹き出された空気が、上下風向変更羽根１０８との間の隙間１１２に流入し、吹出口近傍において結露が発生するという課題を有している。本発明に係る実施の形態１の空気調和機は、上記課題を解決するものであり、以下、実施の形態１の空気調和機における結露防止機構について詳細に説明する。
【００３９】
本発明の実施の形態１の空気調和機における結露防止機構について図７を用いて説明する。図７は、本発明の実施の形態１の空気調和機における結露防止機構である段差７１近傍を拡大して示す縦断面図である。図７に示す空気調和機は、最大風量形成状態である、リアガイダ７から上下風向変更羽根８への風路抵抗が最小の時の動作例を示している。
【００４０】
図７に示すように、実施の形態１におけるリアガイダ７の案内面７ａの最下流端近傍には、結露防止機構として段差７１が形成されている。図７に示すリアガイダ７の案内面７ａの上流部分は、図６に示したリアガイダ７の案内面１０７ａの上流部分と同一の形状を有している。即ち、案内面７ａの上流部分においては、空気の流れる方向は実質的に同一方向（第１の吹き出し方向Ｇ１）である。実施の形態１におけるリアガイダ７の案内面７ａの最下流端近傍には段差７１が設けられており、段差７１より上流側の第１の段差吹出面７０では、第１の吹き出し方向Ｇ１より上向きの傾斜面が形成されている。即ち、リアガイダ７の上流部分の案内面７ａから連続する第１の段差吹出面７０に沿って吹き出される空気の流れは、第１の吹き出し方向Ｇ１より上方向となる。傾斜面である第１の段差吹出面７０は、例えば、気流の方向に沿って切断した断面形状が曲線又は直線等の任意の形状で形成される。なお、リアガイダ７の案内面７ａの最下流端近傍とは、リアガイダ７の案内面７ａの最下流端７ｃから所定の距離で形成されるリアガイダ７の案内面７ａの下流部分を意味する。所定の距離は、段差７１を設けることによって形成された第１の段差吹出面７０から吹き出された空気が、少なくとも冷房運転時において下羽根８ａとリアガイダ７との間の隙間１２より上方向を流れるよう設定される。
【００４１】
以上のように、実施の形態１の空気調和機においては、リアガイダ７の上流部分の案内面７ａに沿って流れる気流が段差７１によって形成された第１の段差吹出面７０によって、第１の吹き出し方向Ｇ１より上方向に吹き出される。なお、第１の段差吹き出し面７０に沿って吹き出される気流の方向を第２の吹き出し方向Ｇ２と定義する。
【００４２】
また、実施の形態１の空気調和機は、第２の段差吹出面７２が形成されている。第２の段差吹出面７２とは、段差７１より下流側の案内面である。第２の段差吹出面７２もまた、リアガイダ７の案内面７ａ（第１の吹き出し方向Ｇ１）より上向きの傾斜面を有している。この傾斜面は、例えば、気流に沿って切断した断面形状が曲線又は直線等の任意の形状で形成される。したがって、第２の段差吹出面７２に沿って案内される空気は、第１の吹き出し方向Ｇ１より上方向に向かって流れる。なお、第２の段差吹き出し面７２に沿って流れる気流の方向を第３の吹き出し方向Ｇ３と定義する。実施の形態１においては、第１の吹き出し方向Ｇ１に対する第２の吹き出し方向Ｇ２及び第３の吹き出し方向Ｇ３は、同じ方向となるよう構成されたもので説明するが、本発明はこの構成に限定されるものではなく、傾斜角度及び／又は形状が異なる構成でもよい。例えば、第２の段差吹出面７２の傾斜を第１の段差吹出面７０の傾斜より大きくして、第２の段差吹出面７２から吹き出される気流の方向（第３の吹き出し方向Ｇ３）を第１の段差吹出面７０から吹き出される気流の方向（第２の吹き出し方向Ｇ２）より上向きにしてもよい。第２の段差吹出面７２からの吹き出し方向をさらに上向きにすることによって、リアガイダ７と下羽根８ａとの間の隙間１２に空気が流入することを防止し、冷房運転時における吹出口近傍での結露の発生を確実に防止することができる。また、例えば、第２の段差吹出面７２の形状を曲面で形成し、第１の段差吹出面７０を平面で形成してもよい。
【００４３】
段差７１の高さ、即ち第１の段差吹出面７０の最先端７ｂと第２の段差吹出面７２の最上端７ｄとの高低差は、例えば、０．５ｍｍ〜１ｍｍの範囲であるのが好ましい。ここで、高低差とは、図７に示すところの第１の段差吹出面７０の最先端７ｂと第２の段差吹出面７２の最上端７ｄの同図紙面上での距離を意味する。段差７１の高さが０．５ｍｍより小さい場合には、図３及び図４に示すような冷房運転時において、第１の段差吹出面７０から吹き出される空気が、リアガイダ７と下羽根８ａとの間の隙間１２へ流入することを抑制できず、結露を防止することが困難である。一方、段差７１の高さが１ｍｍより大きい場合には、第１の段差吹出面７０から吹き出される空気が、リアガイダ７と下羽根８ａとの間の隙間１２へ流入することを抑制できるが、段差７１による風路抵抗が増大するため、送風効率が低下する。
【００４４】
次に、実施の形態１の空気調和機における結露防止機構の作用について図７を用いて説明する。図７に示す動作例は、冷房運転時におけるリアガイダ７の案内面７ａから下羽根８ａの吹出面８ａａへの空気の流れを白抜き矢印で示している。冷房運転時において、ファン６からの空気は、白抜き矢印で示すように、ファン６の下流側に配置されたリアガイダ７の案内面７ａから第１の段差吹出面７０に沿って流れる。第１の段差吹出面７０から吹き出された空気は、第２の吹き出し方向Ｇ２に向かって流れ、第１の吹き出し方向Ｇ１より上方向を向いて流れる。したがって、第１の吹出面７０から吹き出された空気が、下羽根８ａとリアガイダ７との間の隙間１２に流入することを抑制できる。
【００４５】
また、第２の段差吹出面７２から吹き出される空気は、第３の吹き出し方向Ｇ３に向かって流れ、第１の吹き出し方向Ｇ１より上方向を向いて流れる。したがって、実施の形態１の空気調和機では、第２の段差吹出面７２によって、下羽根８ａとリアガイダ７との間の隙間１２に空気が流入することをさらに抑制できる。
【００４６】
このように、実施の形態１の空気調和機は、段差７１を設けた構成にすることで、下羽根８ａとリアガイダ７との間の隙間１２へ空気が流入することを抑制でき、吹出口近傍での結露の発生を防止することができる。
【００４７】
図８は、実施の形態１における上下風向変更羽根８が本体２に回動可能に保持された状態を示す縦断面図である。図８に示すように、上下風向変更羽根８の下羽根８ａには、下羽根回動軸８ａｃを有しており、下羽根回動軸８ａｃは、本体２に固定された下羽根保持部１４によって回動可能に保持されている。下羽根８ａは、下羽根回動軸８ａｃを収納する下羽根回動部８ａｂと、吹出面８ａａを有する羽根部８ａｄとにより構成されており、下羽根回動部８ａｂにおける本体２と対向する部分は、下羽根回動軸８ａｃに直交する断面形状が当該下羽根回動軸８ａｃを中心とする円弧状の外観を有している。本体２における下羽根回動部８ａｂに対向する部分である本体軸受部１３は、下羽根回動軸８ａｃに直交する断面形状が当該下羽根回動軸８ａｃを中心とする円弧状に形成されている。即ち、本体軸受部１３は、くぼみ形状を有しており、そのくぼみ内に下羽根回動部８ａｂの一部が所定の隙間を有して配置されている。
【００４８】
実施の形態１の空気調和機では、下羽根回動軸８ａｃと下羽根保持部１４とが異なる材料で形成されており、下羽根回動部８ａｂと本体軸受部１３とが、異なる材料で形成されている。異なる材料とは、例えば、硬度及び／又は密度が異なる材料である。例えば、下羽根回動軸８ａｃと下羽根回動部８ａｂは、ＡＢＳ樹脂、シンジオタクチックポリスチレン等の材料で形成し、下羽根保持部１４と本体軸受部１３は、ポリアセタール、ポリアミド等の材料で形成されている。このような構成とすることで、下羽根回動軸８ａｃと下羽根保持部１４との摩擦抵抗を減らすことができる。そのため、下羽根回動軸８ａｃの回動時に下羽根回動軸８ａｃと下羽根保持部１４との摩擦によって発生する音を低減することができる。また、上記のような材料を用いることにより、加工精度のばらつきにより、羽根回動部８ａｂと本体軸受部１３が接触する場合においても摩擦によって発生する音を低減することができる。その結果、下羽根回動部８ａｂとリアガイダ７との間の隙間１２を小さくすることが可能となり、実施の形態１の空気調和機の構成においては、隙間１２への空気の流入を抑制するシール性を向上させることができる。
【００４９】
図９は、実施の形態１の空気調和機に露を保持するための溝１５を設けた例である。図９に示すように、実施の形態１の空気調和機は、結露が生じた場合に結露水が流下することを防止するよう溝１５を有する。溝１５は、吹出口近傍の結露水を保持するよう下羽根８ａと本体軸受部１３との間の隙間１２において、下羽根８ａと対向する面、即ち本体軸受部１３に設けられている。このように、実施の形態１の空気調和機は、露を保持するための溝１５を設けることによって、吹出口近傍で生じた結露水を保持して、結露水が滴下することを防止できる。なお、図９では、下羽根８ａと本体軸受部１３との間の隙間１２において、溝１５は下羽根８ａと対向する面、即ち本体軸受部１３に設けられているが、下羽根８ａにも結露が発生する場合、溝１５は、本体軸受部１３と対向する面、即ち下羽根８ａにも設けられてもよい。
【００５０】
以上のように、本発明に係る実施の形態１の空気調和機は、リアガイダ７の案内面７ａの最下流端近傍に段差７１を設けることによって、第１の段差吹出面７０から吹き出された空気が下羽根８ａとリアガイダ７との間の隙間１２に流入することを抑制するよう構成されている。このような構成によって、送風効率を低下させることなく、冷房運転時において吹出口近傍で結露が発生することを抑制できる。
【００５１】
さらに、本発明に係る実施の形態１の空気調和機は、段差７１より下流側に、第２の段差吹出面７２を形成することによって、さらに下羽根８ａとリアガイダ７との間の隙間１２に空気が流入することを抑制でき、冷房運転時における吹出口近傍での結露の発生を確実に防止することができる。
【００５２】
本発明におけるリアガイダ７の段差７１の高さは、送風効率を低下させることなく、冷房運転時の結露の発生を抑制できるように、例示として０．５ｍｍ〜１ｍｍの範囲としている。しかし、送風効率を低下させても確実に吹出口近傍での結露の発生を防止したい場合、段差７１の高さは、０．５ｍｍ〜１ｍｍの範囲に限定されない。例えば、第１の段差吹出面７０から吹き出される空気がより確実に下羽根８ａとリアガイダ７との間の隙間１２へ流入することを抑制するように、段差７１の高さを１ｍｍより大きくしてもよい。このような構成とすることで、送風効率は低下するものの、第１の段差吹出面７０から吹き出された空気が、下羽根８ａとリアガイダ７との間の隙間１２へ流入することを確実に抑制することが可能であり、冷房運転時において吹出口近傍で結露が発生することを確実に防止することができる。
【００５３】
本発明の実施の形態１の空気調和機では、第１の吹出面７０と第２の吹出面７２の両方が第１の吹き出し方向Ｇ１より上向きの傾斜を有する構成を説明しているが、第１の吹出面７０のみに第１の吹き出し方向Ｇ１より上向きの傾斜を有する構成又は第２の吹出面７０のみに第１の吹き出し方向Ｇ１より上向きの傾斜を有する構成であってもよい。
【００５４】
なお、本発明の空気調和機としては、前述の実施の形態１の構成に限定されるものではなく、実施の形態１の構成で示した本発明の技術的思想は、その他種々の態様で実施可能である。
例えば、実施の形態１の空気調和機は、暖房と冷房を兼用する空気調和機であるが、冷房機の専用機であっても当然適用可能である。また、実施の形態１においては室内機と室外機が別体のセパレート型であるが、圧縮機、凝縮機及び蒸発機等が一体となった一体型空気調和機に対しても適用可能な構成である。さらに、本発明においては、室内機として壁掛け式に特定されるものではなく、床置き式等においても、空気の吹出口における上下風向変更羽根を同様の技術的思想により変形して対応することが可能である。
【産業上の利用可能性】
【００５５】
本発明の空気調和機は、冷房運転時の結露を防止して、吹出口からの空気を所望の領域に到達するように吹き出すことが可能な構成であり、且つ吹出口からの空気に対して高い整流効果を発揮することができるため、業務用及び一般家庭等で使用される空気調和機として有用である。
【符号の説明】
【００５６】
１  室内機
２  本体
２ａ  前面開口部
２ｂ  上面開口部
２ｃ  吹出口
３  前面パネル
４  フィルタ
５  熱交換器
６  ファン
７  リアガイダ
７ａ  案内面
７ｂ  最先端
７ｃ  最下流端
７ｄ  最上端
７０  第１の段差吹出面
７１  段差
７２  第２の段差吹出面
８  上下風向変更羽根
８ａ  下羽根（第１の羽根）
８ｂ  上羽根（第２の羽根）
８ｃ  ガイドミニ羽根（第３の羽根）
８ａａ  吹出面
８ａｂ  下羽根回動部
８ａｃ  下羽根回動軸
８ａｄ  羽根部
９  左右風向変更羽根
１０  通風路
１１  スタビライザ
１２  隙間
１３  本体軸受部
１４  下羽根保持部
１５  溝
【図１】
2014178072.tif 000003
【図２】
2014178072.tif 000004
【図３】
2014178072.tif 000005
【図４】
2014178072.tif 000006
【図５】
2014178072.tif 000007
【図６】
2014178072.tif 000008
【図７】
2014178072.tif 000009
【図８】
2014178072.tif 000010
【図９】
2014178072.tif 000011